(57)【要約】      （修正有）【課題】大型または長尺のカメラ用品が収納可能であり、カメラ用品の収納および持ち運びが簡単にできるカート型カメラバッグを提供する。【解決手段】本発明のカート型カメラバッグ１は、カメラ用品を収納するバッグと、バッグの下部に設けられた車輪３とを備え、バッグの内部が、カメラ用品のうち大型または長手の物品を収納可能な第１の空間２０と、カメラ用品のうち小型の物品を収納可能な第２の空間２１に分けられていることを特徴とする。【選択図】図２
2020018729.tif 000002
【特許請求の範囲】
【請求項１】
カメラ用品を収納するバッグと、前記バッグの下部に設けられた車輪とを備え、
前記バッグの内部が、前記カメラ用品のうち大型または長手の物品を収納可能な第１の空間と、前記カメラ用品のうち小型の物品を収納可能な第２の空間に分けられていることを特徴とするカート型カメラバッグ。
【請求項２】
前記第１の空間および前記第２の空間を複数の空間に更に分割する仕切り部材を有することを特徴とする請求項１に記載のカート型カメラバッグ。
【請求項３】
前記バッグに設けられ、前記第１の空間および前記第２の空間を覆い、開閉可能な蓋を有することを特徴とする請求項１または２に記載のカート型カメラバッグ。
【請求項４】
前記バッグに前記蓋を取り付けるファスナーを有することを特徴とする請求項１から３のいずれか１項に記載のカート型カメラバッグ。
【請求項５】
前記バッグに設けられた取っ手を有することを特徴とする請求項１から４のいずれか１項に記載のカート型カメラバッグ。
【請求項６】
前記大型または長手の物品が三脚またはスタンドであることを特徴とする請求項１から５のいずれか１項に記載のカート型カメラバッグ。
【発明の詳細な説明】
【技術分野】
【０００１】
本発明は、カート型カメラバッグに関する。
【背景技術】
【０００２】
従来、複数のカメラ用品（カメラ本体、レンズおよびその他の付属品等）を収納できるようにバッグ内部が構成されているカメラバッグが知られている。例えば、特許文献１には、バッグ本体と、該バッグ本体の収納内部の左側または右側のいずれか側面部材付近に一端が連結され上記バッグ本体を水平面を直交する方向に仕切る仕切り部材と、上記バッグ本体の底部で且つ左側または右側のいずれかの側面部材付近に一端が連結された平帯状の下部支持マット部材とを設けてなり、上記仕切り部材は、複数の平板状部が連続してつながり、そのつなぎ部で適宜折り曲げ自在としてなることを特徴とするバッグが開示されている。
【０００３】
特許文献２には、カメラなどの撮影機材を収納するバッグ本体と、このバッグ本体を肩から吊るして携帯するストラップとからなるカメラバッグにおいて、上記バッグ本体の上面に撮影機材取り出し用の開口を設け、この開口を開閉自在な蓋部材で覆うとともに、蓋部材を閉じ位置に係止する係止手段の操作部をバッグ本体の上面側に設け、かつ蓋部材が、バッグ本体を肩から吊るした状態で身体から離れる方向に開放されることを特徴とするカメラバッグが開示されている。
【０００４】
特許文献３には、一方に開口を有し、その内部空間が仕切り可能である収納部と、その一側が収納部に取り付けられてあり、上記内部空間を閉鎖する蓋部と、その外側が可撓性素材層からなる収納部及び蓋部の外壁とからなり、収納部と蓋部とに、互いに作用し合う鎖錠部材が設けられてある写真用品バッグにおいて、収納部および蓋部の外壁は、それぞれ不透水性のプラスチック層を含み、収納部のプラスチック層は、収納部の開口を規制する第１の縁枠に防水可能に連結され、蓋部のプラスチック層は蓋部が錠止めされる第２の縁枠に防水可能に連結され、鎖錠部材は上記縁枠を結合し、上記縁枠は、ラビリンス及び接触シールの組合せによって嵌め合わされることを特徴とする写真用品バッグが開示されている。
【先行技術文献】
【特許文献】
【０００５】
【特許文献１】特開２００５−１３７５２３号公報
【特許文献２】特開平１１−３４６８１８号公報
【特許文献３】特開平４−５０５８６０号公報
【発明の概要】
【発明が解決しようとする課題】
【０００６】
上述した特許文献１から特許文献３に記載の発明は、いずれも肩掛け式のバッグにカメラ用品を収納して持ち運ぶことができる物である。このようなバッグでは、三脚やスタンド等の大型または長尺の用品を収納する場合は、バッグに収まるサイズに折りたためる物である必要がある。また、バッグに収まったとしても、使用者にとって持ち運ぶための労力が大きいものとなっていた。
【０００７】
本発明の目的は、上記事情に鑑み、大型または長尺のカメラ用品が収納可能であり、カメラ用品の収納および持ち運びが簡単にできるカート型カメラバッグを提供することにある。
【課題を解決するための手段】
【０００８】
上記課題を解決するための本発明の態様は、カメラ用品を収納するバッグと、バッグの下部に設けられた車輪とを備え、バッグの内部が、カメラ用品のうち大型または長手の物品を収納可能な第１の空間と、カメラ用品のうち小型の物品を収納可能な第２の空間に分けられていることを特徴とするカート型カメラバッグである。
【０００９】
本発明のより具体的な構成は、特許請求の範囲に記載される。
【発明の効果】
【００１０】
本発明によれば、大型または長尺のカメラ用品が収納可能であり、カメラ用品の収納および持ち運びが簡単にできるカート型カメラバッグを提供することができる。
【００１１】
上記した以外の課題、構成および効果は、以下の実施形態の説明により明らかにされる。
【図面の簡単な説明】
【００１２】
【図１】本発明のカート型カメラバッグの一実施形態を示す模式図
【図２】図１においてバッグの蓋を開いた状態を示す図
【発明を実施するための形態】
【００１３】
以下、本発明の実施形態について図面を用いて説明する。ただし、ここで取り上げた実施形態に限定されることはなく、発明の要旨を変更しない範囲で適宜組み合わせや改良が可能である。
【００１４】
図１は本発明のカート型カメラバッグの一実施形態を示す模式図である。図１に示すように、本実施形態のカート型カメラバッグ１は、カメラ用品を収納するバッグ２と、バッグ２の下部に設けられた車輪３とを備える。バッグ２は、車輪３によって移動可能であり、使用者が持ち運ぶ際の負担を軽減している。バッグ２には蓋５，６が設けられており、それぞれファスナー６，８によって開閉可能な構成を有している。なお、蓋５，６のバッグ２への取り付け方はファスナー６，８に限られず、蓋５，６が開閉可能であれば、他の物も適用できる。蓋５、６は縦方向に分割されていてもよい。また車輪３は牽引後方が支えるための支柱体であってもよい。
【００１５】
図２は図１においてバッグの蓋を開いた状態を示す図である。図２に示すように、バッグ２の内部は第１の空間２０と第２の空間２１に分けられている。図２では、図面の見やすさを考慮し、第１の空間２０の奥行きが分かるように、第１の空間２０の一部のみ破線で図示している。第１の空間２０は、カメラ用品のうち大型または長尺の物品（例えば、三脚およびカメラスタンド、照明スタンド等）を収納可能な空間を構成している。一方、第２の空間２１は、カメラ用品のうち小型の物品（例えば、カメラ本体、レンズその他のカメラ付属品および照明）を収納可能な空間を構成している。バッグの材質はバルチックナイロンが一般的であるが限定はしない。
【００１６】
上述したように、本発明のカート型カメラバッグ１は、カメラ用品のうち大型または長尺の物品を収納する第１の空間２０を設けている。上述した特許文献１から３に記載のバッグは、持ち運びの利便性を考慮して、できるだけバッグ自体を小型にする思想のものであるが、本発明は大型または長尺の物品に対応した大きさの空間を設けてカメラ用品の収納が簡単にできる構成としつつ、カート型として使用者の持ち運びの際の負担を軽減している。
【００１７】
バッグ２の内部を第１の空間２０と第２の空間２１に分けることによって、大型の物品を簡単に収納することが可能となっている。大型の物品と小型の物品とを同じ空間に収納する構成では、小型の物品がある状態では大型の物品の出し入れがしづらく、小型の物品が無い状態にしてから大型の物品の出し入れを行う必要がある等、大型の物品を収納する際に不便となる。また、大型の物品のみバッグ２の外側に固定すると、物品が雨に濡れる恐れがあり、さらに、物品の固定が確実でないと物品が落ちて破損する恐れがある。
【００１８】
図２に示すように、第１の空間２０および第２の空間２１は、それぞれ複数の空間に分割する仕切り部材９，１０，１１を更に有していてもよい。図２では、第１の空間２０を横方向に分割する仕切り部材９、第２の空間２１を横方向に分割する仕切り部材１０および第２の空間２１を縦方向に分割する仕切り部材１１を設けているが、これに限られるものではない。第１の空間２０を縦方向に分割する仕切り部材を有していても良いし、第２の空間２１は仕切り部材１０，１１のどちらか一方のみ有していてもよい。仕切り部材は、カメラ用品に合わせて配置を変更することができる。
【００１９】
バッグ２は、取っ手４を有していてもよい。このような構成とすることで、バッグ２を運搬する際の利便性が向上する。
【００２０】
以上、説明したように、本発明によれば大型または長尺のカメラ用品が収納可能であり、カメラ用品の収納および持ち運びが簡単にできるカート型カメラバッグを提供できることが示された。
【符号の説明】
【００２１】
１…カート型カメラバッグ、２…バッグ、３…車輪、４…取っ手、５，７…蓋、６，８…ファスナー、９，１０，１１…仕切り部材、２０…第１の空間、２１…第２の空間。
【図１】
2020018729.tif 000003
【図２】
2020018729.tif 000004